(57)【特許請求の範囲】
【請求項１】
遠点側及び近点側での焦点合わせ用の画像を表示する表示手段と、
前記表示手段に表示された前記画像を観察するための光学系と、
外部からの指示にしたがって前記光学系を光軸に沿って移動させる駆動手段と、
前記駆動手段で前記光学系を遠点側へ移動させたときに前記画像の遠点側のフォーカス位置から前記画像がボケ始める位置と、前記駆動手段で前記光学系を近点側へ移動させたときに前記画像の近点側のフォーカス位置から前記画像がボケ始める位置とに基づいて眼の調節力を演算する制御手段と、を備え、
前記制御手段は、前記画像の遠点側のフォーカス位置から前記画像がボケ始める位置までの前記光学系の遠点側への移動速度が初期位置から前記遠点側のフォーカス位置までの前記光学系の遠点側への移動速度より遅くなるように前記駆動手段を制御し、前記画像の近点側のフォーカス位置から前記画像がボケ始める位置までの前記光学系の近点側への移動速度が初期位置から前記近点側のフォーカス位置までの前記光学系の近点側への移動速度より遅くなるように前記駆動手段を制御することを特徴とする眼の調節力測定装置。
【請求項２】
前記表示手段、前記光学系、前記駆動手段及び前記制御手段を収容する筐体に設けられた押しボタンによって前記外部からの指示は行われ、前記制御手段は前記押しボタンが押されている間だけ前記光学系が前記光軸に沿って移動するように前記駆動手段を制御することを特徴とする請求項１記載の眼の調節力測定装置。
【請求項３】
前記遠点側のフォーカス位置から前記画像がボケ始める位置と、前記近点側のフォーカス位置から前記画像がボケ始める位置との各位置の特定は、それぞれ前記押しボタンによって前記制御手段へ指示されることを特徴とする請求項２記載の眼の調節力測定装置。
【請求項４】
前記遠点側のフォーカス位置は、前記押しボタンによって前記制御手段へ指示され、前記制御手段はこの指示後に前記光学系の前記遠点側のフォーカス位置より遠点側への移動速度を遅くするように前記駆動手段を制御し、前記近点側のフォーカス位置は、前記押しボタンによって前記制御手段へ指示され、前記制御手段はこの指示後に前記光学系の前記近点側のフォーカス位置より近点側への移動速度を遅くするように前記駆動手段を制御することを特徴とする請求項２記載の眼の調節力測定装置。
【発明の詳細な説明】
【技術分野】
【０００１】
本発明は眼の調節力測定装置に関する。
【背景技術】
【０００２】
従来、遠方用の固視標である遠方視標と近方用の固視標である近方視標とを備え、近方視標のフォーカス位置から近方視標を眼に近づける方向へ移動させた時に近方視標の輪郭がボケ始める位置である近点、遠方視標のフォーカス位置から遠方視標を眼から遠ざかる方向へ移動させた時に遠方視標の輪郭がボケ始める位置である遠点、近点と遠点のそれぞれにおける眼屈折の差であらわされる眼の調節力、を測定する眼の調節力測定装置が知られている（小口芳久、外３名、“眼科検査法ハンドブック”第４版（第６５〜６６頁）、２００５年６月１日、株式会社  医学書院参照）。
【０００３】
この眼の調節力測定装置では、遠方視標を使用して遠点を測定し、近方視標を使用して近点を測定し、両位置の差分を計算して眼の調節力を求める。
【０００４】
しかし、従来の眼の調節力測定装置には、近点と遠点とを測定するには視標や検眼用付加レンズを取り換えなければならないので、眼の調節力を求めるのに手間がかかり、使い難いという問題があった。
【発明の概要】
【発明が解決しようとする課題】
【０００５】
本発明はこのような事情に鑑みてなされたもので、その課題は視標を取り換える手間をなくして眼の調節力を測定し易くすることである。
【課題を解決するための手段】
【０００６】
上記課題を解決するため、本発明は、遠点側及び近点側での焦点合わせ用の画像を表示する表示手段と、前記表示手段に表示された前記画像を観察するための光学系と、外部からの指示にしたがって前記光学系を光軸に沿って移動させる駆動手段と、前記駆動手段で前記光学系を遠点側へ移動させたときに前記画像の遠点側のフォーカス位置から前記画像がボケ始める位置と、前記駆動手段で前記光学系を近点側へ移動させたときに前記画像の近点側のフォーカス位置から前記画像がボケ始める位置とに基づいて眼の調節力を演算する制御手段とを備え、前記制御手段は、前記画像の遠点側のフォーカス位置から前記画像がボケ始める位置までの前記光学系の遠点側への移動速度が初期位置から前記遠点側のフォーカス位置までの前記光学系の遠点側への移動速度より遅くなるように前記駆動手段を制御し、前記画像の近点側のフォーカス位置から前記画像がボケ始める位置までの前記光学系の近点側への移動速度が初期位置から前記近点側のフォーカス位置までの前記光学系の近点側への移動速度より遅くなるように前記駆動手段を制御することを特徴とする。
【０００７】
また、好適には、本発明は、前記表示手段、前記光学系、前記駆動手段及び前記制御手段を収容する筐体に設けられた押しボタンによって前記外部からの指示は行われ、前記制御手段は前記押しボタンが押されている間だけ前記光学系が前記光軸に沿って移動するように前記駆動手段を制御する。
【０００８】
【０００９】
また、好適には、本発明は、前記遠点側のフォーカス位置から前記画像がボケ始める位置と、前記近点側のフォーカス位置から前記画像がボケ始める位置との各位置の特定は、それぞれ前記押しボタンによって前記制御手段へ指示される。
【００１０】
また、好適には、本発明は、前記遠点側のフォーカス位置は、前記押しボタンによって前記制御手段へ指示され、前記制御手段はこの指示後に前記光学系の前記遠点側のフォーカス位置より遠点側への移動速度を遅くするように前記駆動手段を制御し、前記近点側のフォーカス位置は、前記押しボタンによって前記制御手段へ指示され、前記制御手段はこの指示後に前記光学系の前記近点側のフォーカス位置より近点側への移動速度を遅くするように前記駆動手段を制御する。
【発明の効果】
【００１１】
本発明によれば、視標や検眼用付加レンズを取り換える手間をなくして眼の調節力を測定し易くすることができる。
【図面の簡単な説明】
【００１２】
【図１】図１は、本発明の一実施形態に係る眼の調節力測定装置の平面図である。
【図２】図２は、眼の調節力測定装置の構成を示す概念図である。
【図３】図３は、眼の調節力測定装置の使用方法を説明するためのブロック図である。
【図４】図４は、調節力年齢曲線を示した図である。
【発明を実施するための形態】
【００１３】
以下、本発明の実施の形態を図面に基づいて説明する。
図１は本発明の一実施形態に係る眼の調節力測定装置の平面図である。
【００１４】
この眼の調節力測定装置の筐体１０の上面には、電源ボタン１１（POWER）、フォーカスボタン１２（FOCUS）、スタートボタン１３（START）、モードボタン１４（MODE）が設けられている。
【００１５】
電源ボタン１１は眼の調節力測定装置の電源をオン／オフするためのボタンである。電源をオンにすると、焦点合わせ用の画像が表示手段であるLCD（Liquid  Crystal  Display）４０L，４０R（図２参照）に表示される。
【００１６】
フォーカスボタン１２はシフトレンズ２０L，２０R（図２参照）をシフトレンズ２０L，２０Rの光軸L１，L２に沿って移動させるためのボタンである。フォーカスボタン１２は、眼から遠ざかる方向へシフトレンズ２０L，２０Rを移動させるときに使用する押しボタン１２ａと、眼に近づける方向へシフトレンズ２０L，２０Rを移動させるときに使用する押しボタン１２ｂとを有する。押しボタン１２ａ，１２ｂを押すことによって焦点合わせ等を行うことができる。
【００１７】
スタートボタン１３はCPU５１(図４参照)に調節力の演算を指示するためのボタンである。
【００１８】
モードボタン１４はＬＣＤ４０L，４０R（図２参照）に表示される画像等を選択するためのボタンである。モードボタン１４は三角形の選択キー１４ａ，１４b，１４c，１４dと円形のエンターキー１４e（ENTER）とを有する。例えば、選択キー１４bを押した後エンターキー１４eを押すと片目による調節力測定モードが選択され、選択キー１４dを押した後エンターキー１４eを押すと両目による調節力測定モードが選択される。また、選択キー１４aを押した後エンターキー１４eを押すと１回だけ測定が行われ、選択キー１４cを押した後エンターキー１４eを押すと複数回測定が行われる。なお、エンターキー１４eだけを所定時間以上押し続けるとＬＣＤ４０L，４０R上の画像が切り換わり、エンターキー１４eから手を離すと、その時点の画像が選択される。
【００１９】
図２は眼の調節力測定装置の構成を示す概念図である。
この眼の調節力測定装置は、観察光学系を構成する左右のシフトレンズ２０L，２０Rと、左右の防塵ガラス３０L，３０Rと、表示手段を構成する左右のＬＣＤ４０L，４０Rと、制御手段である制御回路５０とを備える。シフトレンズ２０L，２０R、防塵ガラス３０L，３０R、ＬＣＤ４０L，４０R及び制御回路５０は筐体１０内に収容されている。
【００２０】
左のLCD４０L及び左の防塵ガラス３０Lは左のシフトレンズ２０Lの光軸L１上に位置する。右のLCD４０R及び右の防塵ガラス３０Rは右のシフトレンズ２０Rの光軸L２上に位置する。光軸L１と光軸L２とは平行である。使用者は防塵ガラス３０L，３０Rからシフトレンズ２０L，２０Rを介してＬＣＤ４０L，４０Rに表示される画像を覗く。ＬＣＤ４０L，４０Rには焦点合わせ用の画像や測定結果が表示される。なお、電源がオフの場合、シフトレンズ２０L，２０Rは初期位置であるイニシャライズ位置IPに位置する。
【００２１】
左のシフトレンズ２０Lは左固定部２１L内に収容されている。右のシフトレンズ２０Rは右固定部２１R内に収容されている。左固定部２１L及び右固定部２１Rは固定部２１に固定されている。
【００２２】
固定部２１の左右のシフトレンズ２０Lと２０Rとの間には軸受２７Lと２７Rとが設けられている。軸受２７Lにはガイドバー２５Lが、軸受２７Rにはガイドバー２５Rが、それぞれ軸受２７L，２７Rに対して相対移動可能に取り付けられている。ガイドバー２５L，２５Rはそれぞれシフトレンズ２０L，２０Rの光軸L１，L２方向へ延びている。ガイドバー２５L，２５Rは図示しない固定手段によって筐体１０に固定されている。このような構成なので、固定部２１は、軸受２７L，２７Rを介してガイドバー２５L，２５Rに光軸L１，L２方向へ移動可能に支持されている。したがって固定部２１が光軸L１，L２方向へ移動すると、シフトレンズ２０L，２０Rも固定部２１と一体に光軸L１，L２方向へ移動する。
【００２３】
固定部２１は、左右のシフトレンズ２０Lと２０Rとの間の中間部で、光軸L１，L２方向と平行に延び、ステッピングモータ２３に連結されたボールスクリュ２２に連結されている。固定部２１とボールスクリュ２２とは光軸L１，L２方向に相対移動可能になっている。固定部２１、ガイドバー２５L，２５R及びステッピングモータ２３で駆動手段が構成される。ステッピングモータ２３を回転させると、固定部２１がステッピングモータ２３に連結されたボールスクリュ２２の回転に連動して光軸L１，L２方向に移動する。ボールスクリュ２２は１回転（３６０°）当たりの固定部２１の光軸L１，L２方向への移動量は決まっている。したがってステッピングモータ２３を正／逆転させることで、イニシャライズ位置IPを中心として、図２中の実線の矢印で示された眼に近づく方向である近点方向と破線の矢印で示された眼から遠ざかる方向である遠点方向、すなわち光軸L１，L２方向にシフトレンズ２０L，２０Rを移動させることができる。
【００２４】
ステッピングモータ２３は駆動パルスの１パルス当たりの回転角が決まっているので、ステッピングモータ２３の駆動パルスのパルス数をカウントすることによって、固定部２１のボールスクリュ２２に対する移動量を検出することができる。したがってシフトレンズ２０L，２０Rのイニシャライズ位置IPを原点とするシフトレンズ２０L，２０Rの光軸方向の位置、例えば遠点側又は近点側でＬＣＤ４０L，４０Rに表示される焦点合わせ用の画像の焦点が合う位置である遠点側又は近点側のフォーカス位置、を高精度に検出することができる。
【００２５】
制御回路５０は、ＬＣＤ４０L，４０Rに表示される焦点合わせ用の画像の遠点側のフォーカス位置からシフトレンズ２０L，２０Rが移動してこの画像がボケ始める位置、すなわち遠点と、ＬＣＤ４０L，４０Rに表示される焦点合わせ用の画像の近点側のフォーカス位置からシフトレンズ２０L，２０Rが移動してこの画像がボケ始める位置、すなわち近点とに基づいて眼の調節力を演算する。また、制御回路５０はシフトレンズ２０L，２０Rの移動方向、移動量、移動速度等を制御する。例えば、制御回路５０はフォーカスボタン１２が押されている間だけシフトレンズ２０L，２０Rが移動し、焦点合わせ用の画像のフォーカス位置からこの画像がボケ始める位置までのシフトレンズ２０L，２０Rの移動速度が、イニシャライズ位置IPからフォーカス位置までのシフトレンズ２０L，２０Rの移動速度より遅くなるように、ステッピングモータ２３を駆動する。これは、使用者が画像のボケ始める点をより正確に認識するために有効である。
【００２６】
特に、本装置は、従来の装置のように視標が移動するのではなく、シフトレンズ２０L，２０Rを動かすことで、視標、すなわちＬＣＤ４０L，４０Rに表示される焦点合わせ用の画像の結像位置を変えている。従来の装置では視標の移動量と視標の像の移動量が線形的に変化するため、使用者の眼球レンズの屈折力を線形的に変化させれば常に網膜上に視標の像が結像されるが、本装置では、シフトレンズ２０L，２０Rの移動量と結像位置の移動量が線形的ではなくなり、それ故、眼球レンズの屈折力も非線形的に変化させなければならない。したがって、焦点合わせ用の画像のボケ始めの点では、シフトレンズ２０の移動速度のコントロールが肝要となる。
【００２７】
図３は眼の調節力測定装置の使用方法と構成を説明するためのブロック図、図４は調節力年齢曲線を示した図である。図４において、縦軸及び横軸はそれぞれ調節力（D）及び年齢である。
【００２８】
制御回路５０にはCPU５１が設けられ、CPU５１にはROM５２とRAM５３とがバスを介して接続されている。ROM５２には図４に示す調節力年齢曲線、測定結果、つまり眼の調節力、調節力年齢曲線から求められた年齢、調節力測定プログラムを含む各種の制御プログラムが記憶されている。なお、図４の記載内容は上記した非特許文献に記載された図（第６６頁、図２）の内容と同じである。RAM５３には演算用のデータが記憶される。
【００２９】
次に、眼の調節力測定装置の使用方法を図３に基づいて説明する。
まず、電源ボタン１１を押す。電源がオンになり、LCD４０L，４０Rに焦点合わせ用の画像が表示される。このとき、エンターキー１４eを所定時間以上押し続ければ画像を切り換えることができる。LCD４０L，４０Rに表示される指示にしたがって画像を見ながら押しボタン１２a（図１参照）を押し、シフトレンズ２０L，２０Rをイニシャライズ位置IPから遠点側のフォーカス位置へ移動させる。
【００３０】
シフトレンズ２０L，２０Rが遠点側のフォーカス位置に達したとき、押しボタン１２a から指を離し、エンターキー１４eを押す。その後、再び押しボタン１２a を押してシフトレンズ２０L，２０Rを眼から遠ざかる方向へ僅かに移動させる。画像がボケ始める位置（−位置）にシフトレンズ２０L，２０Rが達したときに、エンターキー１４eを押して遠点を決定する。この位置はCPU５１のRAM５３に遠点のデータとして記憶される。前述したように、シフトレンズ２０L，２０Rが遠点側のフォーカス位置に達したときにエンターキー１４eを押した後のシフトレンズ２０L，２０Rの移動速度は、エンターキー１４eを押す前より遅くすることが好ましい。
【００３１】
ここで、更に正確で簡単に眼の調節力を測定する方法について述べる。
この測定方法は、最初にモードボタン１４で測定モードを第２の調節力測定モードに変更し、上述した操作および後述する操作でそれぞれ遠点側および近点側にシフトレンズ２０L，２０Rを移動させ、シフトレンズ２０L，２０Rが遠点側および近点側のフォーカス位置に達したら、それぞれその位置でフォーカス位置検出用マークを表示させつつ、画像がボケ始める位置を入力する。これら一連の入力が終了次第、眼の調節力の測定を行う方法である。詳述すると以下の通りである。
【００３２】
最初にモードボタン１４で測定モードを第２の調節力測定モードにする。そうすると、使用者に遠点側および近点側のフォーカス位置を入力させる操作法がLCD４０L，４０Rの画面に表示される。その表示に従って使用者が遠点側のフォーカス位置を入力する操作を行うと、シフトレンズ２０L、２０Rがイニシャライズ位置IPから遠点側に移動する。このとき、例えばLCD４０L，４０Rの画面の左上端にフォーカス位置検出用のマーク（以下位置検出マーク）を表示させ、シフトレンズ２０L，２０Rがイニシャライズ位置IPから遠点側のフォーカス位置へ移動する間は位置検出マークを点滅させ、遠点側のフォーカス位置に達したとき、位置検出マークを点滅表示から点灯表示に切り替える。これによってシフトレンズ２０L，２０Rが遠点側のフォーカス位置に達したことを使用者に知らせ、この点灯表示に基づいて、この位置から画像のボケ始める位置で使用者がエンターキー１４eを押すようにする。近点側についても同様の操作を行う。このようにすれば、フォーカス位置を客観的に認識できるとともに、その位置から画像のボケ始める位置を確認および入力することになるため、使用者の労力の軽減を図るとともに正確な測定をすることができる。以上が、より正確で簡単に眼の調節力を測定する方法である。
【００３３】
次に、上述した遠点の決定後の操作方法について説明する。遠点の決定後は、LCD４０L，４０Rに表示される指示にしたがって画像を見ながら押しボタン１２b（図１参照）を押し、シフトレンズ２０L，２０Rをイニシャライズ位置IPから近点側のフォーカス位置へ移動させる。
【００３４】
シフトレンズ２０L，２０Rが近点側のフォーカス位置に達したとき、押しボタン１２bから指を離し、エンターキー１４eを押す。再び押しボタン１２bを押してシフトレンズ２０L，２０Rを眼に近づける方向へ僅かに移動させる。このときも、エンターキー１４eを押した後のシフトレンズ２０L，２０Rの移動速度はエンターキー１４eを押す前より遅くすることが好ましい。画像がボケ始める位置（＋位置）にシフトレンズ２０L，２０Rが達したとき、エンターキー１４eを押して近点を決定する。この位置はCPU５１のRAM５３に近点のデータとして記憶される。
【００３５】
その後、スタートボタン１３を押す。RAM５３に記憶されたデータに基づいてCPU５１が調節力測定値である遠点と近点との差分を演算する。
【００３６】
また、CPU５１はROM５２にデフォルト値として記憶された調節力年齢曲線を参照して年齢を求め、それを調節力とともにLCD４０L，４０Rに表示させる。
【００３７】
この実施形態によれば、LCD４０L，４０Rに表示される指示にしたがってフォーカスボタン１２等を押すだけで調節力を求めることができ、従来例のように近点用、遠点用の視標や検眼用付加レンズを取り換える手間がかからない。また、フォーカスボタン１２が押されている間だけシフトレンズ２０L，２０Rを移動させるようにしたので、フォーカス位置を検出し易い。更に、フォーカス位置から画像がボケ始める位置までのシフトレンズ２０L，２０Rの移動速度をイニシャライズ位置IPからフォーカス位置までのシフトレンズ２０L，２０Rの移動速度より遅くすれば、画像がボケ始める位置である遠点や近点をより検出し易い。また、従来例のように取り替え可能な２つの視標や検眼用付加レンズを必要としないので、小型化を図ることができる。更に、シフトレンズ２０L，２０R、LCD４０L，４０Rは筐体１０内に収容されているので、外乱光の影響を受けず、LCD４０L，４０Rの画像が見易く、調節力の判定をし易い。また、ステッピングモータ２３を採用したので、従来例に比べ、調節力の測定を高精度に行うことができ、眼の年齢を精度よく求めることができる。
【００３８】
なお、上記実施形態では両目による調節力測定のモードを選択したが、選択キー１４bを押して片方のLCD（例えばLCD４０L）をオフとして片目による調節力測定のモードを選択することもできる。
【００３９】
また、上記実施形態では、遠点、近点を測定して１回だけ調節力を求めるモードを選択したが、選択キー１４cを押して遠点、近点を複数回測定して調節力を求めるモードを選択することもできる。このモードを選択した場合、複数回行われた遠点、近点の測定値の最大値と最小値とをカットし、残りの測定値を用いて調節力を演算し、これの平均値を調節力として、又は残りの測定値の平均値を演算した後、これを用いて調節力を演算し、調節力としてLCD４０L，４０Rに表示される。
【００４０】
更に、上記実施形態では、シフトレンズ２０L，２０Rを光軸方向へ移動させるようにしたが、これに代えてLCD４０L，４０Rを光軸方向へ移動させるようにしてもよい。
【００４１】
また、上記実施形態では、２つのLCD４０L，４０Rを備えているが、１つのLCDだけを備えるようにしてもよい。この場合、光路上に左右のシフトレンズ２０L，２０RへLCDに表示された画像を導くための複数の反射ミラーやシャッタが配置される。
【図１】
0005377292.tif 000002
【図２】
0005377292.tif 000003
【図３】
0005377292.tif 000004
【図４】
0005377292.tif 000005